(57)【要約】【課題】外部入力の映像を表示させる際に、表示装置における解像度の設定を容易にする技術が求められていた。【解決手段】プロジェクタ１０において、画像処理部２０の映像処理部２３は、信号判定部２２における映像信号の判定結果に基づいて、所定の解像度に合わせたスケーリング処理や、輝度調整や、色調整など各種の画像処理を実行する。また、映像処理部２３は、リスト提示処理を行う。リスト提示処理は、入力信号から選択可能な解像度を優先順位に従って解像度リストを作成し選択可能に表示する処理である。【選択図】図１
2011141320.tif 000002
【特許請求の範囲】
【請求項１】
外部入力の映像を表示する機能を有する表示装置であって、
前記外部入力の映像の入力信号の情報をもとに、表示すべき映像の表示態様を選定するとともに、前記選定された表示態様とは別の表示態様を代替候補として選定し、それら選定された表示態様を所定の優先順位で配置したリストを、解像度の情報を含んで選択可能に表示するリスト提示手段と、
前記リスト提示手段において選択された表示態様で前記外部入力の映像を出力する映像調整手段と
を備えることを特徴とする表示装置。
【請求項２】
前記リストで表示される前記表示態様は、同期信号の種類が含まれていることを特徴とする請求項１に記載の表示装置。
【請求項３】
前記リスト提示手段は、前記入力信号の同期タイプがＨＶセパレートであって、前記入力信号をもとに選定した解像度が一般的な信号でない場合に、前記選定した解像度とともに一般的な解像度をリストに含めることを特徴とする請求項２に記載の表示装置。
【請求項４】
前記リスト提示手段は、前記入力信号の周波数に近い周波数の解像度の表示態様を代替候補として選定することを特徴とする請求項１から３のいずれかに記載の表示装置。
【請求項５】
当該表示装置は、投影型表示装置であって、
前記映像調整手段は、投影する映像の境界を認識可能に表示することを特徴とする請求項１から４までのいずれかに記載の表示装置。
【発明の詳細な説明】
【技術分野】
【０００１】
本発明は、表示装置に係り、例えば、外部信号を表示することができる表示装置に関する。
【背景技術】
【０００２】
表示装置の画像解像度は様々なタイプがあり、例えばプロジェクタ（投影型表示装置）のような表示装置に映像を入力して使用する場合、ユーザは解像度を指定する必要がある。近年では、入力信号に含まれる同期信号等を参照して自動的に解像度を決定するプロジェクタもあるが、そのようなプロジェクタでも、ユーザが望む解像度を選択してくれない場合があり、ユーザは、設定画面を表示させて所望の解像度を選択する必要があった。
【０００３】
解像度の自動選択の精度を向上させる技術には様々なものが提案されており、例えば、同期信号がＧ信号に含まれるシンクオングリーンの場合、コンポーネントビデオ信号の４８０ｐである判定とし、同期信号がシンクオングリーンでない（ＨＶセパレートシンク）の場合は、アナログＲＧＢ信号のＶＧＡと判定する技術がある（例えば、特許文献１参照）。
【０００４】
また、映像信号を、水平・垂直周波数、同期極性、同期タイプ（sep:ＨＶセパレートシンク、CS:コンポジットシンク、GSync:シンクオングリーン）、映像ライン数などから判別する技術がある（特許文献２参照）。具体的には、同期タイプがセパレートシンクの場合、ＲＧＢ信号のＶＧＡと判定し、同期タイプがシンクオングリーンの場合、映像ライン数・水平周波数・垂直周波数から４８０ｐまたはＶＧＡと判定している。
【先行技術文献】
【特許文献】
【０００５】
【特許文献１】特開２００７−２４１２６１号公報
【特許文献２】特開２００７−９６８７５号公報
【発明の概要】
【発明が解決しようとする課題】
【０００６】
ところで、特許文献１や特許文献２に開示の技術では、ノートＰＣ（Personal Computer）等でＤＶＤ（Digital Versatile Disk）を再生したものがプロジェクタに入力された場合、同期信号がシンクオングリーンの信号でないために、一般にはＶＧＡと判定されてしまう。ＶＧＡであると判定されるとオーバースキャンが１００％となり、映像の上下左右端のノイズが見えてしまうことがあり、見栄えが良くないという課題があった。この場合、表示装置側のオーバースキャンの設定変更を行うか、４８０ｐで表示が可能であれば、約９５％のオーバースキャンとなり、ノイズが見えない。しかし、オーバースキャンの設定変更がない場合やデジタル接続の場合は４８０ｐに変更出来ないという課題があった。
【０００７】
また、市販されているテレビ等とＰＣとを接続すると、表示される画面のサイズが小さくなってしまうというケースがある。ＰＣの解像度が１３６０ｘ７６８であるのに対して、テレビ側の表示の解像度が１０２４ｘ７６８や１２８０ｘ７６８になるため、テレビ側の設定変更する必要がある。これは、信号の周波数が近いために自動判別出来ないのが原因であった。このような場合、ユーザはどちらの装置に問題があり、またどこを変更したら良いかが分からないという課題があり、ユーザフレンドリーの観点から対策が求められていた。さらに、近年、ノートＰＣの表示パネルの解像度に関して、様々なバリエーションのものが投入されており、表示パネルに表示するときにはそのパネルの解像度に適した解像度で表示し、外部出力の場合は一般的な解像度で出力するといったケースが増えてきている。このため、上述のような状況が増えている。さらにまた、あるグラフィックチップを搭載しているノートＰＣでは、設定した解像度通りに外部出力されない場合がある。これはノートＰＣの画面設定の深いメニュー層にある「画面比率の保持」という設定のため、設定した解像度に対して、実際の外部出力の解像度が、設定より大きい解像度で出力されてしまう。この場合は、表示装置側（プロジェクタ側）に問題があるいうクレームになってしまうことが多い。本来、表示装置側の問題ではなく、また、表示装置側としては、そのような問題の原因の所在を把握できることが難しく、自己の責任でないにも拘わらず、信用を落としかねないという課題があり、何らかの対策が求められていた。
【０００８】
本発明の目的は、上記課題に鑑み、外部入力の映像を表示させる際に、表示装置における表示態様の設定を容易にする技術を提供することにある。
【課題を解決するための手段】
【０００９】
本発明に係る装置は、外部入力の映像を表示する機能を有する表示装置であって、前記外部入力の映像の入力信号の情報をもとに、表示すべき映像の表示態様を選定するとともに、前記選定された表示態様とは別の表示態様を代替候補として選定し、それら選定された表示態様を所定の優先順位で配置したリストを解像度の情報を含んで選択可能に表示するリスト提示手段と、前記リスト提示手段において選択された表示態様で前記外部入力の映像を出力する映像調整手段とを備える。
また、前記リストで表示される前記表示態様は、同期信号の種類が含まれてもよい。
また、前記リスト提示手段は、前記入力信号の同期タイプがＨＶセパレートであって、前記入力信号をもとに選定した解像度が一般的な信号でない場合に、前記選定した解像度とともに一般的な解像度をリストに含めてもよい。
また、前記リスト提示手段は、前記入力信号の周波数に近い周波数の解像度の表示態様を代替候補として選定してもよい。
また、当該表示装置は、投影型表示装置であって、前記映像調整手段は、投影する映像の境界を認識可能に表示してもよい。
【発明の効果】
【００１０】
本発明によれば、外部入力の映像を表示させる際に、表示装置における表示態様の設定を容易にする技術を実現できる。
【図面の簡単な説明】
【００１１】
【図１】本発明の実施形態に係る、プロジェクタの構成を示す機能ブロック図である。
【図２】本発明の実施形態に係る、プロジェクタの設定メニュー構成の画面例を示す図である。
【図３】本発明の実施形態に係る、信号調整・設定用のSIG-ADJメニューが選択されたときに表示される画面例を示す図である。
【図４】本発明の実施形態に係る、表示調整・設定用のSCR-ADJメニューが選択されたときに表示される画面例を示す図である。
【図５】本発明の実施形態に係る、「Resolution」が選択されたときに表示される解像度リストの例を示す図である。
【図６】本発明の実施形態に係る、解像度リストの表示する優先順を表す図である。
【図７】本発明の実施形態に係る、投影された映像が正しく映らなかった場合の対策として表示される「Resolution」の解像度リストの例を示す図である。
【図８】本発明の実施形態に係る、信号の周波数が近いために自動判別出来ないときの対策として表示される「Resolution」の解像度の例を示す図である。
【図９】本発明の実施形態に係る、出力装置側で本来設定すべき画面設定をプロジェクタ側で設定するときに表示される「Resolution」の解像度の例を示す図である。
【図１０】本発明の実施形態に係る、スクリーンと投影された映像の解像度の関係を明示して示すときに表示される画面を示す図である。
【発明を実施するための形態】
【００１２】
次に、本発明を実施するための形態（以下、単に「実施形態」という）を、図面を参照して具体的に説明する。本実施形態の概要は以下の通りである。プロジェクタ（投影装置）側の１箇所の設定を変更するだけで解決できるようにする。すなわち、この設定項目は、入力信号と同期信号から判定する解像度（信号）の種類と、入力信号の周波数が近い解像度（信号）の種類と、期待した解像度（信号）の種類から構成される、解像度（信号）リストのことである。
【００１３】
ここで、入力信号と同期信号から判定する解像度の種類とは、同期信号（同期タイプ：sep: ＨＶセパレートシンク、CS:コンポジットシンク、GSync:シンクオングリーン）の違いがあるが、周波数が近い解像度の種類を指す。例えば４８０ｐとＶＧＡ（６４０ｘ４８０または７２０ｘ４８０）、７２０ｐと１２８０ｘ７２０、１０８０ｐと１９２０ｘ１０８０との組み合わせが想定され、それぞれの解像度を選択できるようにする。また、入力信号の周波数が近い解像度の種類とは、入力信号の周波数が近いために判別出来ない解像度を指し、例えば、１０２４ｘ７６８と１２８０ｘ７６８と１３６０ｘ７６８の３つの解像度であって、いずれかの解像度をユーザが容易に選択できるようにする。さらに、期待した解像度の種類とは、例えばＰＣの外部出力の解像度を１２８０ｘ８００に設定しても、画面設定によって実際の出力の解像度が強制的に１２８０ｘ９６０になることがあるので、１２８０ｘ９６０と１２８０ｘ８００のいずれの解像度であっても選択できるようにする。
【００１４】
また、信号の無い領域は、投影すると黒帯領域として表示されることになるので、スクリーンの領域か、信号領域（映像領域）かの区別が出来ないので気付きにくいことがあるので、この場合は１２８０ｘ９６０の表示領域の上下左右端に赤色等の目立つ太線を表示して、信号領域が分かるようにする。このように、入力信号から上記の選択可能な信号を優先順位に従って解像度リスト（「信号リスト」ともいう）を作成し選択可能に表示することで、ユーザが順に選択して、解決できるようにする。なお、以降、解像度リストを選択可能に表示する処理を、「リスト提示処理」という。以下、詳細に説明する。
【００１５】
図１は、本実施形態に係るプロジェクタ１０の構成を示す機能ブロック図であり、主に画像処理機能に着目して示している。プロジェクタ１０は、入力部１２と、出力部１４と、画像処理部２０と、投影部３０と、操作部４０と、通信部５０とを備える。
【００１６】
入力部１２は、ＰＣやＤＶＤプレーヤ等の外部の装置から映像信号を取得する。入力部１２は、例えばＨＤＭＩ（High-Definition Multimedia Interface）やＤ−ｓｕｂ、ＤＶＩ（Digital Visual Interface）等のインタフェイスである。この入力部１２から取得される映像信号（入力）には同期信号が含まれており、後述の信号判定部２２が、その同期信号を元にして解像度を設定したり、ユーザが解像度設定する際に支援したりする。出力部１４は、映像信号を出力するインタフェイスであり、上述同様ＨＤＭＩやＤ−ｓｕｂインタフェイスなどである。
【００１７】
画像処理部２０は、ＣＰＵ２１と、映像処理部２３と、信号判定部２２と、ＯＳＤエンジン２４と、補正処理部２５とを備え、入力部１２から取得した映像信号を所定の形式に変換したり、調整したりして、投影部３０に出力する。ＯＳＤエンジン２４と、補正処理部２５とは、それぞれ専用ＩＣにより構成されている。
【００１８】
ＣＰＵ２１は、図示しないメモリとともに、所定のプログラムを実行して、映像処理部２３と、ＯＳＤエンジン２４と、補正処理部２５とを統括的に制御したり、それら各要素の機能を実行する。また、ＣＰＵ２１は、入力部１２や出力部１４の入出力制御を行ったり、通信部５０の通信制御を行ったり、投影部３０による表示出力制御を行ったり、さらに、操作部４０に対するユーザの操作を取得し、各構成要素に対して所望の動作を行うように制御する。
【００１９】
信号判定部２２は、入力部１２で取得された映像信号の判定を行い、その映像信号がどのような信号であるかを、具体的には、信号の規格や解像度等を検出する。したがって、この信号判定部２２が、上述した入力信号と同期信号から解像度の種類を判定する処理を行うことになる。映像処理部２３は、入力部１２で取得された映像信号に基づいて、つまり、信号判定部２２の判定結果に基づいて、所定の解像度に合わせたスケーリング処理や、輝度調整や、色調整など各種の画像処理を実行する。なお、また、映像処理部２３が本実施形態で特徴的な機能であるリスト提示処理を行う。リスト提示処理の詳細については後述する。
【００２０】
ＯＳＤエンジン２４は、必要に応じてＯＳＤ画面を生成して入力部１２で取得した映像信号に合成する。例えば、ＯＳＤエンジン２４は、プロジェクタ１０の設定画面や、警告などの映像を形成する。リスト提示処理における画面表示もＯＳＤエンジン２４が行う。補正処理部２５は、キーストン補正やジオメトリ補正を行う。
【００２１】
投影部３０は、ランプユニットや、液晶パネルやＤＭＤチップなどの所定の光変調手段と、投射用レンズ等の光学ユニットを備えており、ＣＰＵ２１による制御によって画像処理部２０から出力された映像信号をスクリーン９０に投射する。
【００２２】
操作部４０は、プロジェクタ１０に対するユーザからの操作指示を取得する。その指示取得は、プロジェクタ１０に設けられた操作パネル（図示せず）から直接取得されてもよいし、操作部４０が備えるリモコン受光部４１がリモコン４２からの指示を取得してもよい。取得した操作指示は、画像処理部２０のＣＰＵ２１に送られる。
【００２３】
以上の構成のプロジェクタ１０によるリスト提示処理について説明する。
【００２４】
図２は、本実施形態のプロジェクタ１０の一実施例の設定メニュー構成を示している。設定メニューの表示を行うと、最初に表示される画面で、トップメニュー１０１には、映像調整・設定用のPictureメニュー１０２、信号調整・設定用のSIG-ADJメニュー１０３、表示調整・設定用のSCR-ADJメニュー１０４、設置設定用のPRJ-ADJメニュー１０５が並び表示されている。ユーザは、操作部４０を操作して所望のメニュー（１０２〜１０５）を選択し、トップメニュー１０１の領域の下に表示されるアイコン等で各種の調整を行う。本図では、映像調整・設定用のPictureメニュー１０２が選択されている。そして、トップメニュー１０１の下段には、Pictureメニュー１０２に対応した各調整項目が表示される。ここでは「Contrast」等６項目が調整可能に表示されている。
【００２５】
図３は、信号調整・設定用のSIG-ADJメニュー１０３を選択したときに表示される画面であって、下段に各調整項目が表示される。表示画面の略中央に表示される「Resolution」１０６は、後述の解像度リスト１１０（図５〜９参照）から所望の解像度を選択する項目である。ここでは、「１３６０ｘ７６８」の解像度が選択されている旨が表示されている。また、「Signal Type」１０７は、「RGB」または「COMPONENT（色差）」を自動または手動で切り替える項目である。ここでは、自動切り替えを示す「Auto」が選択されている旨が表示されている。さらに、「Signal Information（信号情報）」１０８は、現在入力されている解像度の種類、水平周波数及び垂直周波数を表示している。ここでは、解像度１３６０ｘ７６８、水平周波数４７．７ｋＨｚ、垂直周波数６０．０Ｈｚである旨が表示されている。
【００２６】
図４は、表示調整・設定用のSCR-ADJメニュー１０４を選択したときに表示される画面で、下段に各調整項目が表示される。例えば、「Overscan」１０９は、映像の周囲近傍の一部を表示させないオーバースキャンを設定する項目であり、ここではオーバースキャンする旨を示す「Ｏｎ」が表示されている。なお、一般に、ＰＣ等の出力は、オーバースキャンは１００％となっている。ＤＶＤプレーヤ等の信号の場合は、オーバースキャンが約９５％の条件に表示態様が最適化されている。そして、ＰＣの解像度は「１２８０ｘ７２０」の様に表されることが多く、ＤＶＤ等の信号の場合は、「７２０Ｐ」や「１０８０ｉ」の様に表されることが多い。
【００２７】
図５は、「Resolution」１０６を選択した場合に、「Resolution」１０６の領域を拡張するようにして表示される解像度リスト１１０の例である。ここでは、理解しやすいように、設定画面の横に飛び出すように表示しているが、「Resolution」１０６から下方向に延びるように設定画面内で表示されてもよい。そして、ユーザは、白黒反転で示すカーソル１１２を所望の解像度に一致させて選択する。ここでは、「１３６０ｘ７６８」の解像度が選択されている。また、リストの信号数（解像度の種類）が多い場合は、次ページマーク１１１にカーソル１１２を移動すると、次の解像度リスト１１０が表示される。
【００２８】
図６は、解像度リスト１１０の表示する優先順を表しており、優先順位の高い順に、入力信号と同期信号から判定する解像度の種類リストＬ１、入力信号の周波数が近い種類リストＬ２、期待した信号の種類リストＬ３で並び、解像度が少ない場合や解像度がない場合は、表示がスキップされる（図７参照）。そして、上記の各種類リストＬ１〜Ｌ３は、所定の色でグループ分けして表示される。ここでは、色分けだけを示している。
【００２９】
ここで、プロジェクタ１０に信号を入力し、投影された映像が正しく映らなかった場合について例示する。
例１）投影された映像の色が異常の場合：
これは、同期信号の判定が間違っているか、または同期信号がシンクオングリーンとセパレートシンクが同時に出力されているため、「RGB」と「Component（色差）」が正しく切り替えられていないことが原因であるので、図５の画面において「Signal Type」１０７を自動から手動に切り替えて変更しなければならない。
【００３０】
例２）投影された映像の上下左右端付近の映像が隠れている又は見えすぎている場合：
これは、プロジェクタ１０に接続するＰＣにおいて「１２８０ｘ７２０」の解像度でＤＶＤを再生している場合、同期信号がＨＶセパレートシンクであるため、ＲＧＢと判定され、オーバースキャン１００％で表示される。これでは、ビデオカメラで撮影した映像をＤＶＤ化して再生すると、本来オーバースキャン９５％を予定しているにも拘わらずオーバースキャン１００％となってしまい、本来隠れているはずの上下端のノイズが表示され、端まで見えすぎている。これを解決するには、「Overscan」１０９の設定を変更しなければならない。
【００３１】
この例１と例２を解決する場合の「Resolution」１０６の解像度リスト１１０は、図７に示すようになる。１行目の「１２８０ｘ７２０」が選択された場合は、オーバースキャン１００％の設定で表示される。上述したように、「１２８０ｘ７２０」のように表される解像度がＰＣの解像度に対応し、「７２０Ｐ」や「４８０Ｐ」のように表される解像度がＤＶＤプレーヤ等の解像度に対応している。そして、２行目の「７２０Ｐ（Ａｕｔｏ）」が選択された場合は、オーバースキャンが約９５％で「Signal type」が自動判定の設定で表示される。３行目の「７２０Ｐ（ＲＧＢ）」が選択された場合は、オーバースキャンが約９５％で「Signal type」が「RGB」の設定で表示する。４行目の「７２０Ｐ（Ｃｏｍｐｏｎｅｎｔ）」が選択された場合は、オーバースキャンが約９５％で「Signal type」が「Component」の設定で表示する。このリストを順に選択して、正しく映る項目を選択することで容易に解決できる。
【００３２】
例３）投影された映像の縦横比が不適切な場合や、「Signal Information（信号情報）」１０８の解像度とＰＣの外部出力の解像度が異なっている場合：
一般に、信号の周波数が近いために自動判別出来ないことが原因である。図８に「Resolution」１０６の解像度リスト１１０の表示例を示すが、ＰＣの外部出力の解像度と同じ設定にすることで解決できる。
【００３３】
例４）投影された映像の上下左右に黒帯領域が表示される場合：
これは、プロジェクタ１０のパネル表示比率が４：３であって、ＰＣの外部出力信号の比率がワイド１６：９となって、表示比率が異なる場合が想定される。これは、ＰＣの外部出力が、設定解像度より大きく、かつ４：３になる解像度で出力する設定になってしまっているのが原因である。
【００３４】
この不具合を解決するためには、通常は、ＰＣ側の画面設定を変更する必要がある。しかし、ユーザはＰＣ側の設定変更が必要であることをすぐに認識出来ず、プロジェクタ１０側に問題があると思いこんでしまう場合もある。そこで、この不具合をプロジェクタ１０側で解決する場合の「Resolution」１０６の解像度リスト１１０は、図９に示すようになる。１行目は入力信号の周波数が近い種類リスト。２行目以降は、期待した信号の種類リストで、ＰＣの外部出力の解像度を選択すれば基本的によい。また、このときに入力信号の上下左右端に赤色等の目立つ太線を表示して、信号領域が分かるようにすると判断しやすい。
【００３５】
図１０（ａ）は上下に黒帯領域、図１０（ｂ）は左右に黒帯領域がある場合を示している。例えば、投影される表示領域１１４の境界を太線１１３、さらには赤線等により明示して表示することで、スクリーン１１２に対しての余裕度やはみ出し具合がより分かりやすくなる。スクリーン１１２からのはみ出しは、自立型スクリーン使用時に、ランプの光が後方に投射されてしまうので、その様な投射を回避したりはっきり認識させたりすることで、プロジェクタ１０をより安全に使用することができる。
【００３６】
デジタル信号の場合、装置間の通信によって信号（解像度）が決まり、通常変更できないが、上述したような信号リスト方式を採用することにより、アナログと同じ操作で変更が可能となる。
【００３７】
以上、本実施形態によると、従来では、入力端子や入力信号によって、プロジェクタ１０側の設定変更が複数必要な場合や、ＰＣ側の画面設定変更が必要な場合があった。しかしユーザは、原因が分からないので、ＰＣの製造会社またはプロジェクタ１０側の製造会社等に問い合わせるが、双方の仕様・設定が関わるので容易に解決出来なかった。しかし本実施形態によると、プロジェクタ１０が上記技術を搭載することで、１箇所の設定で、プロジェクタ１０とＰＣ側の課題を同時に解決できるため、ユーザの利便性が非常に高まる。適当と想定される解像度が順に表示されることから、特に、プロジェクタ１０の扱いに不慣れなユーザが、急に設定作業等する必要になったときに、設定作業の効率が向上し、ユーザフレンドリーな設定を実現できる。
【００３８】
またデジタル信号の場合、４８０ＰとＶＧＡ、７２０Ｐと１２８０ｘ７２０などの選択は通常出来ないことが多いが、本実施形態によれば、アナログ信号でもデジタル信号でも同様の操作で解決できる。
【００３９】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【符号の説明】
【００４０】
１０  プロジェクタ
１２  入力部
２０  画像処理部
２１  ＣＰＵ
２２  信号判定部
２３  映像処理部
２４  ＯＳＤエンジン
２５  補正処理部
３０  投影部
【図１】
2011141320.tif 000003
【図２】
2011141320.tif 000004
【図３】
2011141320.tif 000005
【図４】
2011141320.tif 000006
【図５】
2011141320.tif 000007
【図６】
2011141320.tif 000008
【図７】
2011141320.tif 000009
【図８】
2011141320.tif 000010
【図９】
2011141320.tif 000011
【図１０】
2011141320.tif 000012